(57)【要約】【課題】  本発明の目的は、住宅等の基礎を構成する杭の打込作業を行う際に、杭を適正な打止レベルまで打ち込めるように、作業者の監視作業を支援する、杭打止レベル確認装置及び杭打止レベル確認方法を提供する。【解決手段】  杭が適正な貫入量で打ち込まれたことを確認する、杭打止レベル確認装置６であって、地盤面に対して略鉛直に配設される本体部６ａ〜６ｃと、この本体部６ａ〜６ｃの下端に、地盤面に対して略水平に配設される指示棒部６ｄを備え、本体部６ａ〜６ｃは、地盤面から任意の距離に設定された第一の基準高さＨ１を計測可能な目盛部６ｍ，８ａと、本体部６ａ〜６ｃの長さを変更する伸縮可能部６ｃを有し、本体部上の第一の基準高さＨ１に一致する点から本体部６ａ〜６ｃの指示棒部６ｄの配設位置までの距離（ｙ＋ｚ）と、第一の基準高さＨ１から杭の打止高さＨ２までの距離ｈとを一致させることにより、指示棒部６ｄが杭の打止高さＨ２を指し示すように構成されている。【選択図】  図１
2006274639.tif 000002
【特許請求の範囲】
【請求項１】
杭が適正な貫入量で打ち込まれたことを確認する、杭打止レベル確認装置であって、
地盤面に対して略鉛直に配設される本体部と、該本体部の下端に、地盤面に対して略水平に配設される指示棒部を備え、
前記本体部は、地盤面から任意の距離に設定された第一の基準高さを計測可能な目盛部と、前記本体部の長さを変更する伸縮可能部を有し、
前記本体部上の前記第一の基準高さに一致する点から、前記本体部の前記指示棒部の配設位置までの距離と、前記第一の基準高さから前記杭の打止高さまでの距離と、を一致させることにより、前記指示棒部が前記杭の打止高さを指し示すように構成されたことを特徴とする杭打止レベル確認装置。
【請求項２】
前記第一の基準高さから前記杭の打止高さまでの距離は、前記第一の基準高さから、前記第一の基準高さよりも地盤面側に近い第二の基準高さまでの距離を求め、該求められた距離に、前記第二の基準高さから地盤面までの距離を加減算すると共に、前記杭の突出長さを減算することにより得られることを特徴とする請求項１記載の杭打止レベル確認装置。
【請求項３】
前記本体部は複数部分に分割可能とされたことを特徴とする請求項１記載の杭打止レベル確認装置。
【請求項４】
前記指示棒部は伸縮可能に形成されたことを特徴とする請求項１記載の杭打止レベル確認装置。
【請求項５】
杭が適正な貫入量で打ち込まれたことを確認する、杭打止レベル確認方法であって、
地盤面から任意の距離に第一の基準高さを設定する工程と、
前記第一の基準高さから前記杭の打止高さまでの距離を求める工程と、
前記地盤面に対して略鉛直に配設される本体部と、該本体部の下端に、地盤面に対して略水平に配設される指示棒部を備えた打止レベル確認装置を前記杭の近傍に配置する工程と、
前記本体部上の前記第一の基準高さに一致する点から、前記本体部の前記指示棒部の配設位置までの距離と、前記第一の基準高さから前記杭の打止高さまでの距離と、を一致させる工程と、
前記指示棒部が前記杭の打止高さに一致するまで前記杭を打ち込む工程と、を備えたことを特徴とする杭打止レベル確認方法。
【請求項６】
前記第一の基準高さから前記杭の打止高さまでの距離を求める工程では、
前記第一の基準高さから、前記第一の基準高さよりも地盤面に近い第二の基準高さまでの距離を求める工程と、
該求められた距離に、前記第二の基準高さから地盤面までの距離を加減算すると共に、前記杭の突出長さを減算する工程と、が行われることを特徴とする請求項５記載の杭打止レベル確認方法。
【発明の詳細な説明】
【技術分野】
【０００１】
本発明は杭打止レベル確認装置及び杭打止レベル確認方法に関し、特に、地中に杭を回転圧入する際に、杭が適正な打止レベルまで打ち込まれるように、作業者の確認作業を支援する、杭打止レベル確認装置及び杭打止レベル確認方法に関する。
【背景技術】
【０００２】
住宅等の建物の基礎は、一般に、地盤を掘削し、そこに鉄筋からなる構造体を構築し、型枠を設置した後、コンクリートを打設して形成されている。
しかし、上記基礎では、施工に手間を有し、さらに、敷地外に廃棄される残土を多く生じるという問題があった。
【０００３】
また、リサイクルの観点から見ても、上記従来の基礎では、コンクリート部分と鋼材部分とを分離するのが容易ではなく、鋼材の再利用が難しいという問題があった。
【０００４】
そこで、地盤に鋼製の杭を打ち込み、この杭の上端部に鋼製の基礎横架材が接合されてなる建物基礎の構造が提案されている（例えば、特許文献１参照）。
【特許文献１】特開２００１−０６４９７８号公報
【発明の開示】
【発明が解決しようとする課題】
【０００５】
上記特許文献１に開示された基礎構造を採用するときは、杭を適正な貫入量で打ち込むことが好ましい。
このため、杭が適正な貫入量で打ち込まれているか否かを管理する技術が提案されている（例えば、特許文献２参照）。
【０００６】
特許文献２に開示された管理装置は、杭の頭部にターゲットプリズムを設置し、このターゲットプリズムを光波測距儀で自動追尾してプリズムまでの測距データ並びに測角データを継続的に計測し、取得した計測データを用いて、ターゲットプリズムの高さの変化を杭の貫入量として演算し、杭が適正な貫入量で打ち込まれるように管理するものである。
【特許文献２】特開平１０−０３０２３０号公報（図１）
【０００７】
上記特許文献２に開示された装置により、杭を適正な貫入量で打ち込むことが可能となるが、特許文献２の装置では、それぞれの杭にターゲットプリズムを取り付ける必要があり、取り付けに手間がかかるとともに、コンピュータシステム等が必要であり、コストが高くなるという問題があった。
【０００８】
本発明の目的は、住宅等の基礎を構成する杭の打込作業を行う際に、杭を適正な打止レベルまで打ち込めるように、作業者の監視作業を支援する、杭打止レベル確認装置及び杭打止レベル確認方法を提供することにある。
【課題を解決するための手段】
【０００９】
前記課題は、請求項１に係る杭打止レベル確認装置によれば、杭が適正な貫入量で打ち込まれたことを確認する、杭打止レベル確認装置であって、地盤面に対して略鉛直に配設される本体部と、該本体部の下端に、地盤面に対して略水平に配設される指示棒部を備え、前記本体部は、地盤面から任意の距離に設定された第一の基準高さを計測可能な目盛部と、前記本体部の長さを変更する伸縮可能部を有し、前記本体部上の前記第一の基準高さに一致する点から、前記本体部の前記指示棒部の配設位置までの距離と、前記第一の基準高さから前記杭の打止高さまでの距離と、を一致させることにより、前記指示棒部が前記杭の打止高さを指し示すように構成された、ことにより解決される。
【００１０】
本発明の杭打止レベル確認装置は、本体部と指示棒部を備え、本体部上の第一の基準高さに一致する点から、前記本体部の前記指示棒部の配設位置までの距離と、第一の基準高さから杭の打止高さまでの距離とを一致させることにより、指示棒部で杭の打止レベルを指し示す機能を有する。
【００１１】
なお、前記第一の基準高さから前記杭の打止高さまでの距離は、前記第一の基準高さから、前記第一の基準高さよりも地盤面側に近い第二の基準高さまでの距離を求め、該求められた距離に、前記第二の基準高さから地盤面までの距離を加減算すると共に、前記杭の突出長さを減算することにより得られる。
【００１２】
前記本体部は複数部分に分割可能とされており、装置を使用しないときには、他の作業の邪魔にならないように分解しておくことが可能である。
また、前記指示棒部を伸縮可能に形成すると、杭の径が異なる場合でも、常に杭の近くに指示棒部を位置させることが可能となり、作業員の目視が行い易くなるので好適である。
【００１３】
本発明の杭打止レベル確認方法は、杭が適正な貫入量で打ち込まれたことを確認する、杭打止レベル確認方法であって、地盤面から任意の距離に第一の基準高さを設定する工程と、前記第一の基準高さから前記杭の打止高さまでの距離を求める工程と、前記地盤面に対して略鉛直に配設される本体部と、該本体部の下端に、地盤面に対して略水平に配設される指示棒部を備えた打止レベル確認装置を前記杭の近傍に配置する工程と、前記本体部上の前記第一の基準高さに一致する点から、前記本体部の前記指示棒部の配設位置までの距離と、前記第一の基準高さから前記杭の打止高さまでの距離と、を一致させる工程と、前記指示棒部が前記杭の打止高さに一致するまで前記杭を打ち込む工程と、を備えたことを特徴とする。
【００１４】
なお、前記第一の基準高さから前記杭の打止高さまでの距離を求める工程では、前記第一の基準高さから、前記第一の基準高さよりも地盤面に近い第二の基準高さまでの距離を求める工程と、該求められた距離に、前記第二の基準高さから地盤面までの距離を加減算すると共に、前記杭の突出長さを減算する工程と、が行われる。
【発明の効果】
【００１５】
以上のように、本発明の杭打止レベル確認装置及び杭打止レベル確認方法によれば、指示棒部が杭の打止レベルを指し示すように構成されているので、指示棒部を監視することにより、杭を適正な打止レベルまで打ち込むことが可能となる。
【００１６】
また、本発明の杭打止レベル確認装置は、複数の杭に共通に使用することが可能であり、コスト面において有利である。
【発明を実施するための最良の形態】
【００１７】
以下、本発明の一実施形態について、図を参照して説明する。なお、以下に説明する部材、配置等は、本発明を限定するものではなく、本発明の趣旨に沿って各種改変することができることは勿論である。
【００１８】
図１乃至図４は、本発明に係る一実施形態を示すものであり、図１は本実施形態に係る打止レベル確認装置の斜視図、図２は打止レベルの説明図、図３は打止レベル確認装置の設置方法を示す説明図、図４は打止レベル確認装置と打ち込みが終了した杭を示す説明図である。
【００１９】
本実施形態の打止レベル確認装置６は、住宅の基礎等を構成する杭３を地中に打ち込む際に、杭３が適正な打止レベルまで打ち込まれるように、作業者の確認作業を支援する装置である。
【００２０】
杭３を打ち込むとき、杭３の十分な支持力を確保するため、地盤に杭３が十分な貫入量で打ち込まれることが規定されている。
すなわち、杭３の打ち込みが終了したときに、杭３の頭部の地盤面からの突出長さが所定長さ以下であることが要求されている。
【００２１】
打止レベル確認装置６は、杭３を打ち込む前、または、ある程度杭３が打ち込まれた段階で、杭３の近傍に設置され、杭３の打込レベルの確認に使用されるものである。
【００２２】
本例の打止レベル確認装置６は、地盤面に対して略鉛直に配設される本体部と、この本体部の下端に、地盤面に対して略水平に配設される指示棒部とから構成されている。図１において、指示棒部は差し棒６ｄとして示されている。
【００２３】
本体部は、標尺置き台６ａと、標尺支持部６ｂと、レベルアーム６ｃとから構成されている。標尺置き台６ａには、次述する標尺８が載置される。
レベルアーム６ｃは、ねじ６ｆを緩めることにより、保持部６ｇよりも下側に位置する部分が伸縮可能に構成されている。
【００２４】
打止レベル確認装置６は、図示しない支持手段により支持され、地盤面から浮くようにして保持される。
打止レベル確認装置６を浮かせる距離は、杭３の適正な突出長さと大きく変わらないように設定される。
【００２５】
ここで、杭３の打止レベルについて、図２に基づいて説明する。
杭３は、地盤面（設計ＧＬ）から出る杭３の頭部が、所定突出量以下となるまで打ち込まれるように規定されている。
【００２６】
図２では、説明のために起伏を大げさにして図示しているが、図示のように建築現場の地盤面ＧＬは全ての場所で同一であるとは限らない。
しかし、地盤面ＧＬに起伏があっても、全ての場所で、決められた十分な貫入量だけ杭３を打ち込み、さらに、杭３の上端部が同じ高さになるように打ち込まなければならない。
【００２７】
図２の例では、最も低い地盤面に打ち込まれる杭３ａを基準とし、杭３ａの頭部が所定長さ以下となるように、杭３ａが地面から出る長さを設定している。図２では杭３ａの地面から出る長さはＡ１として設定されている。この長さＡ１は規定された基準長さ以内に収まるものである。
【００２８】
その他の杭３ｂ、３ｃが打ち込まれる地盤面は、杭３ａが打ち込まれる地盤面よりも高いので、杭３ｂの地盤面からの突出長さＡ２、杭３ｃの地盤面からの突出長さＡ３のいずれも、規定された基準長さ内に収まることとなる。
【００２９】
打止レベル確認装置６は、各杭３ａ〜３ｃに対して、各杭３ａ〜３ｃが打止レベルに達したとき、差し棒６ｄが杭３ａ〜３ｃの上端部を差すように設置される。
【００３０】
打止レベル確認装置６の設置は次のようにして行う。
まず、任意の位置にレベル７を設置する。本例では、レベル７を、杭３ａが打ち込まれる地盤面上に設置している。
そして、レベル７による視準を行い、任意の高さを設定する。この高さを、第一の基準高さＨ１とする。
【００３１】
図２に示すように、各地点では、杭３の打止高さＨ２（図２では杭３の上端部）は、第一の基準高さＨ１から距離ｈだけ下がった位置になっている。
第一の基準高さＨ１と、距離ｈと、杭３ａ〜３ｃの突出長さＡ１〜Ａ３との関係は次式のようになる。
【００３２】
【数１】
2006274639.tif 000003
なお、ＢＭ（ベンチマーク）は建物の各部の高さを定める基準となる高さであり、本例ではＢＭの高さを、第二の基準高さＨ３としている。
本例では、第一の基準高さＨ１は、この第二の基準高さＨ３よりも高い位置となるように設定されている。
【００３３】
上記式１のうち、Ｈ１±（視準場所でのＢＭからＧＬまでの距離）の演算からは、第一の基準高さＨ１から、第二の基準高さＨ３までの距離、すなわち図２に示す距離Ｌ１が算出される。
【００３４】
さらに、距離Ｌ１に、各地点での第二の基準高さＨ３からＧＬまでの距離を加減算し、杭３の突出長さＡ１〜３を減算することにより、距離ｈが得られる。
【００３５】
次式より距離ｈが算出される。
【数２】
2006274639.tif 000004
【００３６】
なお、別の場所でも、次式により、距離ｈを求めることができる。
【数３】
2006274639.tif 000005
【００３７】
打止レベル確認装置６を設置するときは、図３に示すように、打止レベル確認装置６の標尺置き台６ａに標尺８を乗せ、標尺支持部６ｂで支持して垂直に立てる。
そして、視準線７ａの高さ（すなわち、第一の基準高さＨ１）に一致する目盛８ａを読み取る。この目盛が示す数値は、図３の長さｙに該当する。
【００３８】
次に、打止レベル確認装置６のレベルアーム６ｃを伸縮させ、打止レベル確認装置６の全長ｚと、上記長さｙを加算した長さが、高さｈになるように調整する。
【００３９】
打止レベル確認装置６の全長は、レベルアーム６ｃ及び保持部６ｇに付された目盛６ｍにより、容易に把握することができる。
打止レベル確認装置６において、標尺置き台６ａは目盛を付すことが困難な部位であるが、この部位は、その長さｌが目盛一つ分となるように形成されている。
目盛６ｍは一定間隔に整数倍の寸法で設けられている。レベルアーム６ｃ及び保持部６ｇには、周面上に目盛６ｍが付されているので、どの位置からでも、目盛を確認することができる。
【００４０】
そして、ｙ＋ｚ＝ｈになるポイントで、ねじ６ｆを締めて、レベルアーム６ｃを固定する。
【００４１】
このときの差し棒６ｄの差す位置が、杭３の打ち止めレベルとなる。すなわち、杭３の上端部が差し棒６ｄの位置まで来たときに、杭３の打ち止めがなされる。
差し棒６ｄの先端には着色部６ｅが設けられており、杭３の打ち止め位置の確認を確実に行えるようになっている。
【００４２】
図４は、杭３の上端ではなく、杭３の外周面に印３ａを付けておき、この印の位置を差し棒６ｄが差したときに、杭３の打ち止めを行うようにした構成を示すものである。
この場合は、杭３の上端部から印位置までの長さ分だけ、差し棒６ｄの位置を下げて設置すればよい。
図４の場合は、印３ａの付された高さが、杭３の打止高さＨ２となる。
【００４３】
なお、本例の差し棒６ｄは、異なる径の杭３に対応するために、伸縮自在に構成されている。
差し棒６ｄは、円筒状の基部６ｄ１と、棒部材６ｄ２とから構成されており、棒部材６ｄ２は、基部６ｄ１から突出可能に構成されている。
【００４４】
杭３の径が太くなるほど、棒部材６ｄ２基部６ｄ１内に収納され、差し棒６ｄは短くされる。逆に、杭３の径が細くなるほど、棒部材６ｄ２は杭３側に延出される。
【００４５】
図５は、打止レベル確認装置６の他の実施例を示す説明図である。
本例の打止レベル確認装置６は、レベルアーム６ｃの他に、もう一本のレベルアーム６ｈを備えている。
【００４６】
本例の打止レベル確認装置６は標尺８を用いない構成とされている。
このため、上記実施例における標尺置き台６ａ及び標尺支持部６ｂに相当する部材を備えていない。
【００４７】
レベルアーム６ｃは、上記実施例と同様に、ねじ６ｆ及び保持部６ｇを備え、保持部６ｇよりも下側に位置する部分が伸縮可能とされている。
【００４８】
レベルアーム６ｈは、打止レベル確認装置６を設置するときのみ、接続部６ｉを介してレベルアーム６ｃに連結される。
レベルアーム６ｈが連結されることにより、標尺８を用いなくても、長さｙの値を得ることが可能となる。
【００４９】
レベルアーム６ｃ及び６ｈには、周面上に目盛が付されているので、どの位置からでも、目盛を確認することができる。
また、目盛は一定間隔で色分けされている。例えば、１００ｍｍごとに色分けしておけば、色を見るだけで１００ｍｍ単位の長さを把握することができ、容易に概略長さを把握することができる。
【００５０】
図５に示す打止レベル確認装置６を使用する場合、杭打ちの初期段階では、レベルアーム６ｈを外しておく。こうすれば、打止レベル確認装置６が杭打ち作業の邪魔になることがない。
【００５１】
そして、杭３がある程度打ち込まれ、打ち止め位置を確認する必要が生じた段階で、レベルアーム６ｈを接続し、打止レベル確認装置６の設置を行えば良い。
【００５２】
図６は、打止レベル確認装置６のさらに他の実施例を示す説明図である。
本例の打止レベル確認装置６は、上下に伸縮可能なレベルアームを備えている。
レベルアームは、保持部６ｇから上方に延出する第一の延出部６ｊと、保持部６ｇから下方に延出する第二の延出部６ｋを備えている。
【００５３】
レベルアームの構造は、保持部６ｇ，第一の延出部６ｊ，第二の延出部６ｋが円筒状であり、不使用時には、保持部６ｇ，第一の延出部６ｊ，第二の延出部６ｋが入れ子状態になって、短縮されるように構成されている。
保持部６ｇ，第一の延出部６ｊ，第二の延出部６ｋは、ねじ等により互いに固定されている。
【００５４】
使用時には、ねじを緩め、保持部６ｇから第一の延出部６ｊ，第二の延出部６ｋを延出させて、必要な長さを確保すれば良い。
【図面の簡単な説明】
【００５５】
【図１】本発明に係る打止レベル確認装置の斜視図である。
【図２】杭の打止レベルの説明図である。
【図３】打止レベル確認装置６の設置方法を示す説明図である。
【図４】打止レベル確認装置と打ち込みが終了した杭を示す説明図である。
【図５】打止レベル確認装置の他の実施例を示す説明図である。
【図６】打止レベル確認装置の他の実施例を示す説明図である。
【符号の説明】
【００５６】
６  打止レベル確認装置
６ａ  標尺置き台
６ｂ  標尺支持部
６ｃ  レベルアーム
６ｄ  差し棒
６ｄ１  基部
６ｄ２  棒部材
６ｅ  着色部
６ｆ  ねじ
６ｇ  保持部
６ｈ  レベルアーム
６ｉ  接続部
６ｊ  第一の延出部
６ｋ  第二の延出部
６ｍ  目盛
７  レベル
７ａ  視準線
８  標尺
８ａ  目盛
Ａ、Ａ１〜Ａ３  杭が地盤面から出る長さ
ＢＭ  ベンチマーク
ＧＬ  地盤面
Ｈ１  第一の基準高さ
Ｈ２  杭の打止高さ
Ｈ３  第二の基準高さ
ｈ  第一の基準高さから杭の打止高さまでの距離
ｓ１  視準場所でのＢＭからＧＬまでの距離
ｓ２，ｓ３  各地点でのＢＭからＧＬまでの距離
【図１】
2006274639.tif 000006
【図２】
2006274639.tif 000007
【図３】
2006274639.tif 000008
【図４】
2006274639.tif 000009
【図５】
2006274639.tif 000010
【図６】
2006274639.tif 000011